(57)【特許請求の範囲】
【請求項１】
第１の部材と第２の部材とを接合する接合構造において、
前記第１の部材に、前記第２の部材へ向かって延びるように設けられた接合棒と、
前記第２の部材に設けられ、前記接合棒が挿入されることによって該接合棒を保持する接合具とを備え、
前記接合棒は、挿入方向前端部に膨出部を備え、
前記接合具は、前記接合棒を挿通可能な通路を有するとともに該通路の一部に前記膨出部を配置可能な拡大空間部を有するスリーブと、前記拡大空間部の一部に設けられていて該拡大空間部に配置された前記膨出部を係止して前記接合棒の挿入方向後方側への移動を規制する係止部とを備え、
前記接合棒の基端に、挿入完了時点で前記スリーブの先端に被着する蓋体が設けられていることを特徴とする接合構造。
【請求項２】
請求項１に記載の接合構造において、
前記スリーブの周囲に該スリーブの外方への拡がりを阻止するように内方に作用する付勢力を発揮する弾性部材が設けられていることを特徴とする接合構造。
【請求項３】
請求項１または２に記載の接合構造において、
前記スリーブの先端に近接する外側面に、周方向に連続する無端の溝が形成され、前記蓋体の内側には前記溝に嵌合する無端の突条部が形成されていることを特徴とする接合構造。
【請求項４】
請求項１〜３のいずれかに記載の接合構造において、
前記スリーブの先端面と外側面との間に斜面が形成され、前記蓋体の下縁は断面楔形に形成されていることを特徴とする接合構造。
【発明の詳細な説明】
【０００１】
【発明の属する技術分野】
本発明は、２つの部材を互いに接合する接合構造に関するものである。
【０００２】
【従来の技術】
例えば、筒状のトンネル壁体を構成する場合、一般に、セグメントどうしをボルトによって接合していた。このボルトでセグメントどうしを接合する構造としては、セグメントの接合面の近傍に、セグメントの接合面どうしを当接した際に互いに連通する孔部を有する継手を埋め込んでおき、これら継手の孔部どうしが連通するように、セグメントの接合面を当接した状態で、孔部へボルトを挿通し、このボルトにナットを締結して接合する構造が一般的である。また、相互のセグメントにナット部材であるインサート金具を埋め込んでおき、隣接するセグメントに貫通したボルトを締結して互いに接合する構造もある。
【０００３】
【発明が解決しようとする課題】
しかしながら、上記のような構造では、建築現場にて継手の接合面に形成された孔部にボルトを挿通し、このボルトにナットを締結するという極めて煩雑な作業を要するという問題があった。しかも、上記のような接合構造では、継手の孔部どうしを正確に連通してセグメントを設置しなければならなかった。
【０００４】
本発明は、このような事情に鑑みてなされたもので、例えばセグメントどうしのような２つの部材を作業性良く安定して接合することができる接合構造を提供することを目的とする。
【０００５】
【課題を解決するための手段】
上記の課題を解決するため、請求項１に記載の接合構造は、
第１の部材と第２の部材とを接合する接合構造において、前記第１の部材に、前記第２の部材へ向かって延びるように設けられた接合棒と、前記第２の部材に設けられ、前記接合棒が挿入されることによって該接合棒を保持する接合具とを備え、前記接合棒は、挿入方向前端部に膨出部を備え、前記接合具は、前記接合棒を挿通可能な通路を有するとともに該通路の一部に前記膨出部を配置可能な拡大空間部を有するスリーブと、前記拡大空間部の一部に設けられていて該拡大空間部に配置された前記膨出部を係止して前記接合棒の挿入方向後方側への移動を規制する係止部とを備え、前記接合棒の基端に、挿入完了時点で前記スリーブの先端に被着する蓋体が設けられていることを特徴とする。
【０００６】
本発明によれば、接合棒をスリーブに挿入すると、先端の膨出部がスリーブ内部の拡大空間部に填り込んで係止部に係止し、スリーブの内部で拘束される。これにより、接合棒を引き抜こうとする力、すなわち、接合棒の挿入方向後方側への力が作用しても、拡大空間部の一部に形成されている係止部と膨出部との係合関係から、接合具に接合された接合棒が引き抜かれるようなこともなく、第１の部材と第２の部材との接合は安定する。しかも、接合棒の挿入完了時点でスリーブの先端に蓋体が被着することにより、スリーブの外方への拡がりが事実上行われなくなるので、スリーブによる膨出部の拘束力がさらに強まる。これにより、接合棒の引き抜こうとして非常に強い力が作用してもスリーブが変形しなくなる。したがって、接合状態を更に強固に保つことができる。
【００１５】
請求項２に記載の接合構造は、請求項１に記載の接合構造において、前記スリーブの周囲に該スリーブの外方への拡がりを阻止するように内方に作用する付勢力を発揮する弾性部材が設けられていることを特徴とする。
【００１６】
本発明によれば、弾性部材がスリーブの外方への拡がりを阻止するように付勢力を発揮することにより、スリーブによる膨出部の拘束力が強まる。これにより、接合棒の引き抜こうとする強い力が作用しても、この力によるスリーブの外方への変形が抑制される。したがって、接合状態をより強固に保つことができる。
【００２３】
請求項３に記載の接合構造は、請求項１または２に記載の接合構造において、前記スリーブの先端に近接する外側面に、周方向に連続する無端の溝が形成され、前記蓋体の内側には前記溝に嵌合する無端の突条部が形成されていることを特徴とする。
【００２４】
本発明によれば、スリーブ側の溝に蓋体側の突条部が嵌合することにより、スリーブからの蓋体の離脱が防止される。これにより、蓋体によるスリーブの拘束状態が確保される。したがって、接合状態を更に強固に保つことができる。
【００２５】
請求項４に記載の接合構造は、請求項１〜３のいずれかに記載の接合構造において、前記スリーブの先端面と外側面との間に斜面が形成され、前記蓋体の下縁は断面楔形に形成されていることを特徴とする。
【００２６】
本発明によれば、接合棒を挿入する過程でスリーブが外方に拡大変形しても、スリーブ側の斜面に楔形をなす蓋体の下縁が当接してスリーブを蓋体の内側に案内する。これにより、蓋体の被着がより確実に行われる。したがって、接合作業が容易になって作業性が向上する。
【００２７】
【発明の実施の形態】
以下、本発明の実施形態による接合構造について図面を参照しながら説明するが、実施形態の説明に先立って本発明の参考技術について説明する。図１、図２、図３は本発明の接合構造の第１参考技術を示す側方断面図であって一連の接合動作を示している。
【００２８】
図１において、接合構造は、トンネル壁体を構成する第１セグメント（第１の部材）Ｓａと第２セグメント（第２の部材）Ｓｂとを接合するものであって、第１セグメントＳａに設けられた接合棒１と、第２セグメントＳｂに設けられた接合具２とを備えている。接合棒１は、第２セグメントＳｂ側へ向かって延びるように設けられており、接合具２に対して、図１中、矢印ｙ方向に挿入される。接合棒１の挿入方向後端側にはねじ部１ａが形成されている。そして、第１セグメントＳａに埋設されたインサートナット１ｂとねじ部１ａとをねじ込むことにより、接合棒１と第１セグメントＳａとが固定される。一方、接合棒１の挿入方向前端側には軸部１ｃより大径な大径部１ｄを有する膨出部２１が形成されている。接合棒１は、ポリカーボネート、ポリスチレン、ナイロン、繊維強化プラスチックなどの各種合成樹脂によって構成される。合成樹脂によって構成することにより、成型を容易とし、低コストを実現している。もちろん、接合棒１を鋼などの各種金属によって構成してもよい。
【００２９】
接合具２は、第２セグメントＳｂに埋設され、接合棒１を挿通可能な通路４を有するスリーブ２３を有している。接合具２のうちスリーブ２３は、第１筒状部材３と、第１筒状部材３に接続された第２筒状部材５とを備えており、これら２つの筒状部材の内部が通路４となっている。第２筒状部材５は、第１筒状部材３の内部に嵌合されることによって第１筒状部材３と接続している。第１接合部材３と第２接合部材５との接合は、例えばアーク溶接や接着剤を用いて行われている。第１筒状部材３の第２セグメントＳｂ側端部には、通路４を塞ぐストッパー部６が設けられている。これら接合具２のスリーブ２３を構成する第１筒状部材３、第２筒状部材５や蓋体６も、ポリカーボネート、ポリスチレン、ナイロン、繊維強化プラスチックなどの各種合成樹脂によって構成されている。なお、接合具２を鋼などの各種金属によって構成してもよい。
【００３０】
接合具２の通路４の途中にはリング状部材（係止部）７が配置されている。このリング状部材７も、ポリカーボネート、ポリスチレン、ナイロン、繊維強化プラスチックなどの各種合成樹脂によって構成される。リング状部材７は開口部である挿通部８を有しており、この挿通部８に接合棒１が挿通されるようになっている。そして、図１や図４（ａ）の断面図などに示すように、この挿通部８は、第２セグメントＳｂ側に向かって小さくなるようにテーパ状に形成されている。
【００３１】
リング状部材７は、図４（ｂ）の正面図に示すように、その一部を切られた切欠部９を有している。切欠部９が形成されていることによって、このリング状部材７の切欠部９近傍は図４（ｂ）中、矢印ｙ１に示すように弾性変形可能となっている。そして、この弾性変形に応じて、リング状部材７の挿通部８が拡大・縮小する方向に変形するようになっている。
【００３２】
ここで、外部からの力を作用されていない状態（通常状態）におけるリング状部材７の挿通部８の径の少なくとも一部は、接合棒１の径より小さくなるように設定されている。本実施形態においては、挿通部８は第２セグメントＳｂ側に向かって小さくなるようにテーパ状に形成されているが、この第２セグメントＳｂ側の径が、少なくとも接合棒１のうち、膨出部２１の大径部１ｄより小さくなるように設定されている。一方、挿通部８のうち第１セグメントＳａ側の径は膨出部２１の大径部１ｄより若干大きくあるいはほぼ同じに設定されており、接合棒１をリング状部材７の挿通部８に挿入しやすいようにしている。
【００３３】
そして、リング状部材７の挿通部８が拡径されるように弾性変形された際には、リング状部材７は挿通部８を縮小する方向に付勢力を有することになる。
【００３４】
図１に戻って、通路４は、第１筒状部材３の内部と第２筒状部材５の内部とが接続されることによって形成されている。ここで、第１筒状部材３の内部にはリング用段部３ａが形成されており、リング状部材７は、第２筒状部材５の第２セグメントＳｂ側の端面５ａとリング用段部３ａとによって形成された凹部（リング用係止部）１０に配置されている。リング状部材７は、凹部１０に配置されていることによって、第１セグメントＳａ側及び第２セグメントＳｂ側への移動を規制されている。
【００３５】
第１筒状部材３の内径は、リング状部材７の内径より大きく設定されている。すなわち、リング状部材（係止部）７に対して第２セグメント（第２の部材）Ｓｂ側には、このリング状部材７によって形成される空間より拡大された拡大空間部Ｓが、第１筒状部材３によって形成されている。
【００３６】
凹部１０とリング状部材７との間にはＯリング（可撓性部材）１１が設けられている。Ｏリング１１によって、リング状部材７が挿通部８を拡大・縮小するように変形した際のリング状部材７と凹部１０（通路４）との干渉が抑えられる。なお、凹部１０とリング状部材７との間には、リング状部材７の変形に伴う衝撃を和らげることが可能なものなら何でもよく、Ｏリングのような弾性部材に限らず金属ベローズのような部材でもよい。すなわち、撓む性質を有するものであれば何でもよい。
【００３７】
以上説明したような構成を有する接合構造によって、第１セグメントＳａと第２セグメントＳｂとを接合する手順について説明する。
まず、図１に示すように、接合棒１のねじ部１ａと第１セグメントＳａに埋設されているインサートナット１ｂとを螺着することによって、第１セグメントＳａに接合棒１を固定する。また、第２セグメントＳｂに、第１筒状部材３をストッパー部６とともに埋設する。そして、第１筒状部材３の内部に第１セグメントＳａ側からＯリング１１とともにリング状部材７を挿入し、リング用段部３ａに係合する。
【００３８】
そして、リング用段部３ａに配置されたリング状部材７を抑えるように、第１筒状部材３の内部に第１セグメントＳａ側から第２筒状部材５を挿入し、アーク溶接や接着剤を用いた接合によって第１筒状部材３と第２接合部材５とを接続する。第１筒状部材３に挿入された第２筒状部材５の第２セグメントＳｂ側の端面５ａによってリング状部材７はリング用段部３ａに抑えつけられる。こうして、リング用段部３ａと第２筒状部材５の端面５ａとにより形成された凹部（係止部）１０によって、リング状部材７の第１セグメントＳａ側及び第２セグメントＳｂ側への移動（通路４方向の移動）が規制される。
【００３９】
接合具２を第２セグメントＳｂに設けたら、通路４に向かって矢印ｙ方向に接合棒１を挿入する。通路４に挿入された接合棒１の膨出部２１は、やがて、リング状部材７に達する。このとき、リング状部材７の挿通部８は第２セグメントＳｂ側に向かって小さくなるように形成されており、挿通部８の第１セグメントＳａ側の径は接合棒１の膨出部２１より若干大きいかほぼ同じに設定されている。
【００４０】
図２に示すように、接合棒１を更に押し込むことによって、挿通部８を拡大するように変形可能に設けられているリング状部材７は挿通部８を拡大させる。このとき、リング状部材７の外径は凹部１０（通路４）の径より小さく形成されており、リング状部材７と凹部１０との間にはＯリング１１が設けられているので、リング状部材７の挿通部８を拡大させるような変形は妨げられない。
【００４１】
挿通部８の第１セグメントＳａ側の径は、接合棒１の膨出部２１より大きいかほぼ同じに形成されているので、挿通部８に対する接合棒１の挿入動作は安定して行われる。そして、挿通部８は第２セグメントＳｂ側に向かって小さくなるようにテーパ状に形成されているので、接合棒１をテーパ形状に案内させつつ挿通部８に押し込むことに伴って、挿通部８は拡径される。
【００４２】
そして、図３に示すように、接合棒１の膨出部２１がリング状部材７を通過して第１筒状部材Ｓによって形成された拡大空間部Ｓに配置されると、リング状部材７は挿通部８の径を縮小する方向に付勢力を有しているので、接合棒１の軸部１ｃを締め付けるように変形し、接合棒１を保持する。このとき、挿通部８の第２セグメントＳｂ側の径は接合棒１の膨出部２１の大径部１ｄより小さく設定されており、リング状部材７より第２セグメントＳｂ側に形成されている拡大空間部２１に配置された膨出部２１によって、接合棒１は第１セグメントＳａ側の移動（挿入方向後方側への移動）を規制され、接合具２から引き抜かれることがない。こうして、接合棒１と接合具２とが固定され、第１セグメントＳａと第２セグメントＳｂとが接合される。
【００４３】
以上説明したように、接合棒１を第１筒状部材３及び第２筒状部材５からなるスリーブ２３に挿入すると、先端の膨出部２１がスリーブ２３内部の拡大空間部Ｓに填り込んで係止部であるリング状部材７に係止し、スリーブ２３の内部で拘束される。これにより、接合棒１を引き抜こうとする力、すなわち、接合棒１の挿入方向後方側への力が作用しても、拡大空間部Ｓのうち接合棒１の挿入方向後方側に配置されているリング状部材（係止部）７と膨出部２１との係合関係から、接合具２に接合された接合棒１が引き抜かれるようなこともなく、第１セグメントＳａと第２セグメントＳｂとの接合は安定する。
【００４４】
通路４に配置され、切欠部９の作用によって挿通部８を拡大・縮小するように変形可能なリング状部材７は、挿通部８を縮小する方向に付勢力を有しているとともに、挿通部８を縮小した際、接合棒１より小径になる部分を有するように設定されているので、接合具２の通路４に挿入された接合棒１は、リング状部材７の挿通部８を通過する際、膨出部２１で挿通部８を押し拡げるように通過した後、リング状部材７の挿通部８を縮小する方向に作用する付勢力によって締め付けられる。このように、接合棒１を接合具２の通路４に挿入するだけで、接合棒１と接合具２とを連結することができる。このとき、リング状部材７は、通路４の途中に設けられた凹部１０によって通路４方向への移動を規制されているので、接合棒１の挿入動作を安定して行うことができるとともに、接合具２に接合された接合棒１が引き抜かれるようなこともなく、第１セグメントＳａと第２セグメントＳｂとの接合は安定される。
【００４５】
接合棒１の膨出部２１は、リング状部材７より第２セグメントＳｂ側の拡大空間部Ｓに配置された際、リング状部材７によって挿入方向後方側への移動を規制されるので、接合棒１は接合具２から引き抜かれるようなことがない。したがって、第１セグメントＳａと第２セグメントＳｂとの接合は安定する。
【００４６】
接合具１は、内部にリング状部材７の第２セグメントＳｂ側への移動を規制するリング用段部３ａを備えた第１筒状部材３と、第１筒状部材３の内部に配置されたリング状部材７の第１セグメントＳａ側への移動を規制するように第１筒状部材３に接続される第２筒状部材５とを有しているので、第２セグメントＳｂに接合具２を設ける際には、第２セグメントＳｂに第１筒状部材３を設け、この第１筒状部材３のリング用段部３ａにリング状部材７を配置した後、第１筒状部材３に第２筒状部材５を接続すればよいので、第２セグメントＳｂに対する接合具２の取り付けを作業性良く行うことができる。
【００４７】
挿通部８は第２セグメントＳｂに向かって縮まるようにテーパ状に形成されており、挿通部８の第１セグメントＳａ側の径は接合棒１の膨出部２１より若干大きいかほぼ同じに設定されているので、接合棒１をリング状部材７の挿通部８に挿入しやすくなっている。一方、挿通部８の第２セグメントＳｂ側の径は接合棒１の膨出部２１より小さく設定されているので、接合棒１の保持を安定して行うことができる。
【００４８】
凹部１０とリング状部材７との間にＯリング１１を備えるので、リング状部材７が挿通部８を拡大・縮小するように変形した際、リング状部材７と通路４との干渉を抑えることができる。
【００４９】
なお、凹部１０とリング状部材７との間には、Ｏリング１１を設けない構成とすることも可能である。この場合、凹部１０とリング状部材７との間には、リング状部材７の挿通部８を拡大するような変形を妨げないように、離間部を設けておく。すなわち、リング状部材７の外径を、凹部１０（通路４）の内径より小さく設定しておく。このとき、凹部１０によってリング状部材７の通路４方向への移動が規制されていることにより、通路４に挿入された接合棒１のリング状部材７による保持を安定して行うことができる。
【００５０】
次に、第２参考技術について、図５を参照しながら説明する。ここで、以下の説明において、前述した第１参考技術と同一あるいは同等の構成部分については同一の符号を用いるとともに、その説明を簡略もしくは省略する。
図５に示す第２参考技術による接合構造の特徴的な部分は、接合具２を構成する第１筒状部材３と第２筒状部材５との接続構造である。図５に示すように、第２筒状部材５の外周面にはおねじ溝５ｂが設けられており、第１筒状部材３の内周面にはめねじ溝３ｂが設けられている。そして、第２筒状部材５の全てが第１筒状部材３の内側に包まれるように配置され、おねじ溝５ｂとめねじ溝３ｂとを螺着することによって、第１筒状部材３と第２筒状部材５とが接続される。この場合、第２セグメントＳｂの第１セグメントＳａと対向する面に、第１筒状部材３及び第２筒状部材５の後端面のそれぞれが露出している。
【００５１】
以上説明したように、第１筒状部材３の内周面にめねじ溝３ｂを設け、第２筒状部材５の外周面におねじ溝５ｂを設け、めねじ溝３ｂとおねじ溝５ｂとの螺着によって、第１筒状部材３と第２筒状部材５とを接続してもよい。そして、第１筒状部材３の内部に第２筒状部材５の全てを配置するようにしたことにより、接合具２の挿入方向の長さを短くすることができ、これに伴って、接合棒１の軸部１ｃの長さを短くすることができる。
【００５２】
次に、接合構造の第３参考技術について、図６を参照しながら説明する。ここで、以下の説明において、前述した第１、第２参考技術と同一あるいは同等の構成部分については同一の符号を用いるとともに、その説明を簡略もしくは省略する。
図６に示す第３参考技術に係る特徴的な部分は、第２参考技術同様、接合具２を構成する第１筒状部材３と第２筒状部材５との接続構造である。図６に示すように、第２筒状部材５の内周面にはめねじ溝５ｃが設けられており、第１筒状部材３の外周面にはおねじ溝３ｃが設けられている。そして、第２筒状部材５が第１筒状部材３を包むように配置され、おねじ溝３ｃとめねじ溝５ｃとを螺着することによって、第１筒状部材３と第２筒状部材５とが接続される。この場合、第２セグメントＳｂの第１セグメントＳａと対向する面に、第２筒状部材５の後端面のみが露出している。
【００５３】
以上説明したように、第１筒状部材３の外周面におねじ溝３ｃを設け、第２筒状部材５の内周面にめねじ溝５ｃを設け、おねじ溝３ｃとめねじ溝５ｃとの螺着によって、第１筒状部材３と第２筒状部材５とを接続してもよい。そして、第２筒状部材５の内部に第１筒状部材３の一部を配置するようにしたことにより、接合具２の挿入方向の長さを短くすることができ、これに伴って、接合棒１の軸部１ｃの長さを短くすることができる。
【００５４】
次に、本発明の実施形態による接合構造について、上述した参考技術と図７〜図１０を参照しながら説明する。図７は本実施形態の接合構造を示す図であって、接合前状態での断面図である。図８はスリーブを接合棒の反挿入方向から見た図、図９は同接合構造の構成要素であるスリーブを側方から見た図である。また、図１０は同接合構造を示す図であって、接合前状態の断面図である。
【００５５】
図７に示すように、本実施形態の接合構造は、第１セグメントＳａに固定され、第２セグメントＳｂに向かって延出する円柱状の接合棒１と、セグメントＳｂに形成された配設孔Ｈの内部に配設され、接合棒１が挿入された場合にこの接合棒１を固定する接合具２とによって接合される概略構成を有している。接合棒１は、基端に形成されたねじ部１ａを第１セグメントＳａに埋設固定されたインサート１ｂに螺着することで第１セグメントＳａに固定されている。
【００５６】
接合棒１の先端には膨出部２１が形成されている。膨出部２１は下方が先鋭な略円錐状で、接合棒１と連続する部分には鈎形の大径部１ｄが形成されている。
【００５７】
接合具２は、接合棒１が挿入されるスリーブ２３と、スリーブ２３の周囲を取り囲むように配設された弾性部材３０とを備えている。スリーブ２３は、接合棒１を挿入される先端を配設孔Ｈから突出させない位置とし、図示しない基端の大径部（図９に図示）を埋設することで第２セグメントＳｂに固定されている。また、弾性部材３０はスリーブ２３の先端を配設孔Ｈ内において若干露出させるように配設されている。
【００５８】
スリーブ２３の内部には、接合棒１の膨出部２１を包むように係止する拡大空間部Ｓが形成されており、拡大空間部Ｓをなすスリーブ２３の内壁には膨出部２１の大径部１ｄを係止する段部（係止部）２４が形成されている。
【００５９】
図８、図９に示すように、スリーブ２３には、接合棒１を挿入される先端から挿入方向に向けて割断されるように複数のスリット２５が形成されている。各スリット２５は、スリーブ２３を接合棒１の挿入方向からみて放射状をなすように等間隔に配置されている。
【００６０】
接合棒１の基端には、挿入完了時点でスリーブ２３の先端に被着する蓋体１３が設けられている。なお、蓋体１３は接合棒１とともに第１セグメントＳａに固定されている。
【００６１】
スリーブ２３の先端に近接する外側面には、周方向に連続する無端の溝２６が形成されている。一方、蓋体１３の内側には溝２６に嵌合する無端の突条部１４が形成されている。
【００６２】
スリーブ２３の先端面と外側面との間には周方向に一連の斜面２７が形成されている。一方、蓋体１３の下縁１５は断面楔形に形成されている。
【００６３】
以上のような構成を有する接合構造による、第１，第２セグメントＳａ，Ｓｂ間の接合作業について説明する。
第１，第２セグメントＳａ，Ｓｂ間が離間した状態（図７参照）から、第２セグメントＳｂのスリーブ２３に接合棒１を挿入するように第１セグメントＳａを接近させていく。この接近動作に伴ってスリーブ２３内に挿入されていく接合棒１は、円錐状の膨出部２１によって、スリット２５を割り広げていく。
【００６４】
そして、膨出部２１が拡大空間部Ｓに填り込んだとき、スリーブ２３が弾性部材３０の付勢力を受けて元の形状に復帰し、膨出部２１の大径部１ｄがスリーブ２３側の段部（係止部）２４に係止する（図１０参照）。
【００６５】
さらに、膨出部２１が拡大空間部Ｓに填り込むと同時に蓋体１３がスリーブ２３の先端に被着し、スリーブ２３側の溝２６と突条部１４とを嵌合させて固定される。蓋体１３がスリーブ２３に被着する過程では、スリーブ２３側の斜面２７に蓋体１３の楔形の下縁１５が当接し、蓋体１３をスリーブ２３の外側に案内する。
これにより、接合棒１が接合具２に対して抜出不可に固定されるので、第２セグメントＳｂに対する第１セグメントＳａの接合作業が完了する。
【００６６】
この構成によれば、第１，第２セグメントＳａ，Ｓｂどうしを接合させる際に、単に、第１セグメントＳａに設けられた接合棒１を第２セグメントＳｂに設けられた接合具２へ挿入させることにより、極めて容易に、接合具２に接合棒１を係止させ、それぞれを接合させることができる。
【００６７】
なお、上記実施形態における接合構造は、トンネルを構成するセグメントＳａ，Ｓｂどうしを接合するものであるが、トンネルのセグメントに限らず、任意の部材どうしを接合する際に適用可能であることはもちろんである。
【００６９】
【発明の効果】
本発明の接合構造によれば、接合棒をスリーブに挿入すると、先端の膨出部がスリーブ内部の拡大空間部に填り込んで係止部に係止し、スリーブの内部で拘束される。これにより、接合棒を引き抜こうとする力が作用しても、拡大空間部の一部に形成されている係止部と膨出部との係合関係から、接合具に接合された接合棒が引き抜かれることなく、第１の部材と第２の部材とを強固に安定して接合することができる。
そして、本発明により、ボルトを継手の接合面に形成された孔部へ挿通させてナットを締結させていた従来構造と比較して、その接合作業にかかる労力を大幅に低減させることができる。また、接合時に、現場にて用意する部品を少なくすることができ、部品の搬入、準備等の作業を軽減することができ、省力化を図ることもできる。さらに、ロボットを使った自動組み立ての実現にも貢献が期待できる。
しかも、接合棒の挿入完了時点でスリーブの先端に蓋体が被着することにより、スリーブの外方への拡がりが事実上行われなくなるので、スリーブによる膨出部の拘束力がさらに強まる。これにより、接合棒の引き抜こうとして非常に強い力が作用してもスリーブが変形しなくなる。したがって、接合状態を更に強固に保つことができる。
【図面の簡単な説明】
【図１】本発明の接合構造の第１参考技術を示す断面図であって、第１の部材と第２の部材とが接合される前の状態を示す図である。
【図２】本発明の接合構造の第１参考技術を示す断面図であって、接合棒の前端部が保持部材に保持される直前の状態を示す図である。
【図３】本発明の接合構造の第１参考技術を示す断面図であって、第１の部材と第２の部材とが接合された後の状態を示す図である。
【図４】本発明の接合構造の第１参考技術に係るリング状部材を示す図である。
【図５】本発明の接合構造の第２参考技術を示す断面図であって、第１の部材と第２の部材とが接合された後の状態を示す図である。
【図６】本発明の接合構造の第３参考技術を示す断面図であって、第１の部材と第２の部材とが接合された後の状態を示す図である。
【図７】本発明の接合構造の実施形態を示す断面図であって、第１の部材と第２の部材とが接合される前の状態を示す図である。
【図８】本発明の実施形態に係る接合構造の構成要素であるスリーブを側方から見た図である。
【図９】本発明の実施形態に係る接合構造の構成要素であるスリーブを接合棒の挿入方向から見た図である。
【図１０】本発明の実施形態に係る接合構造を示す図であって、接合後の状態での断面図である。
【符号の説明】
１  接合棒
１ｄ  大径部
２  接合具
３  第１筒状部材（スリーブ）
３ａ  リング用段部
４  通路
５  第２筒状部材（スリーブ）
７  リング状部材（係止部）
８  開口部（挿通部）
９  切欠部
１０  凹部（リング用係止部）
１１  Ｏリング（可撓性部材）
１３  蓋体
１４  突条部
２１  膨出部
２３  スリーブ
２４  段部（係止部）
２５  スリット
２６  溝
２７  斜面
３０  弾性部材
Ｓ  拡大空間部
Ｓａ  第１セグメント（第１の部材）
Ｓｂ  第２セグメント（第２の部材）
【図１】
0003808325.tif 000002
【図２】
0003808325.tif 000003
【図３】
0003808325.tif 000004
【図４】
0003808325.tif 000005
【図５】
0003808325.tif 000006
【図６】
0003808325.tif 000007
【図７】
0003808325.tif 000008
【図８】
0003808325.tif 000009
【図９】
0003808325.tif 000010
【図１０】
0003808325.tif 000011